(57)【要約】  加工工具を取り付けるための工具カセット（１）を提供する。該工具カセット（１）は、カセット基体（２）、  加工工具を取外し可能に保持するための工具ホルダ、および  少なくとも１つの第１の結合装置（７）を有しており、  該第１の結合装置（７）は、該第１の結合装置（７）に対して相補的な、別の工具カセット（１’）の第２の結合装置（８）と形状結合式にかつ取外し可能に結合可能であるように適合されている。
2020506063.tif 000002
【特許請求の範囲】
【請求項１】
加工工具を取り付けるための工具カセット（１）であって、該工具カセット（１）は、
カセット基体（２）、
加工工具を取外し可能に保持するための工具ホルダ、および
少なくとも１つの第１の結合装置（７）を有しており、
該第１の結合装置（７）は、該第１の結合装置（７）に対して相補的な、別の工具カセット（１’）の第２の結合装置（８）と形状結合式にかつ取外し可能に結合可能であるように適合されている、工具カセット（１）。
【請求項２】
前記第１の結合装置（７）はフック状に形成されており、前記第２の結合装置（８）はフック支持部として形成されている、請求項１記載の工具カセット（１）。
【請求項３】
前記第２の結合装置（８）は、前記別の工具カセット（１’）の表面（１０）に開口（９）を有しており、該開口（９）は、フック状に形成された前記第１の結合装置（７）用のアンダカット（１１）を有している、請求項２記載の工具カセット（１）。
【請求項４】
前記第１の結合装置（７）は当接面（１２）を備えており、該当接面（１２）は、２つの工具カセット（１，１’）が掛け込まれた状態において前記工具カセット（１）の前記表面（１０）が前記第２の結合装置（８）でもって、前記当接面（１２）に当接すると共に該当接面（１２）に支持されるように形成されている、請求項３記載の工具カセット（１）。
【請求項５】
前記カセット基体（２）は、少なくとも１つの別の当接面（１４）を備えており、該別の当接面（１４）は、２つの工具カセット（１，１’）が掛け込まれた状態において前記別の工具カセット（１’）の前記カセット基体が前記当接面（１４）に当接すると共に、該当接面（１４）に支持されるように配置されている、請求項４記載の工具カセット（１）。
【請求項６】
前記工具カセット（１）は、該工具カセット(１)を運ぶための取っ手（１３）を有している、請求項１から５までのいずれか１項記載の工具カセット（１）。
【請求項７】
前記カセット基体（２）は、プラスチックから製造されている、請求項１から６までのいずれか１項記載の工具カセット（１）。
【請求項８】
前記工具カセット（１）は、少なくとも１つの前記第１の結合装置（７）と、少なくとも１つの前記第２の結合装置（８）の両方を有している、請求項１から７までのいずれか１項記載の工具カセット（１）。
【請求項９】
前記工具ホルダが配置されている前記工具カセット（１）の側は前面側として規定されており、
該前面側とは反対の側は背面側として規定されており、かつ
前記前面側と前記背面側との間の水平方向の面は側面側として規定されており、
前記第１の結合装置（７）または前記第２の結合装置（８）は、一方の前記工具カセット（１）の前記側面側に配置されており、かつ
前記第１の結合装置（７）および前記第２の結合装置（８）のうちの他方は、他方の前記工具カセット（１’）の前記背面側に配置されている、請求項８記載の工具カセット（１）。
【請求項１０】
前記第１の結合装置（７）または前記第２の結合装置（８）は、両側の側面にそれぞれ配置されている、請求項９記載の工具カセット（１）。
【請求項１１】
複数の、請求項１から１０までのいずれか１項記載の工具カセット（１，１’）から成るセット。
【請求項１２】
前記工具カセット（１，１’）はそれぞれ、前記第１の結合装置（７）および前記第２の結合装置（８）の同一の配置を有している、請求項１１記載のセット。
【発明の詳細な説明】
【技術分野】
【０００１】
本発明は、工具カセット、特に金属薄板用の加工機械のための加工工具を取外し可能に保持するための工具カセットに関する。
【０００２】
一般に加工工具用の工具カセットは運搬用取っ手を有しており、運搬用取っ手により、工具カセットを人間工学的に運ぶことが可能である。取っ手は、片手で１つだけの工具カセットを運ぶことができるように形成されている。ただし加工機械の準備を整えるには、同時に複数の工具カセットをこの機械まで運び、これらを加工機械の工具マガジンに挿入することができるようになっていると有利である。この理由から、複数の工具カセットが、その取っ手においてそれぞれ単一の指で運ばれることが多く、これにより、加工工具の重さに基づき極度に大きな荷重が個々の指に加えられることになる。このことは、機械オペレータには不快であると共に、怪我のリスクをはらんでいる。
【０００３】
本発明の根底を成す課題は、上記課題を解決し、同時に複数の工具カセットを人間工学的に運ぶことを可能にする工具カセットを提供することにある。
【０００４】
この課題は請求項１記載の工具カセットにより解決される。本発明の改良は、各従属請求項に記載されている。
【０００５】
本発明の１つの態様では、第１の結合装置を有する工具カセットが提供され、第１の結合装置は、第１の結合装置に対して相補的な、別の工具カセットの第２の結合装置と形状結合式にかつ取外し可能に結合可能であるように適合されている。
【０００６】
第１の結合装置に対して相補的な第２の結合装置に結合可能な第１の結合装置を１つの工具カセットに設けることにより、別の工具カセットが第１の工具カセットに結合され得、ひいては第１の工具カセットと別の工具カセットの両方を、第１の工具カセットを介して運ぶことができるようになっている。
【０００７】
第１の結合装置が有利にはフック状に形成されており、第２の結合装置がフック支持部として形成されていると、第１の工具カセットと別の工具カセットとは極めて簡単に互いに結合され得る。
【０００８】
有利にはフック支持部を別の工具カセットの表面に設けられた開口として形成し、この開口がフック状に形成された第１の結合装置用のアンダカットを有していることにより、追加的な構成空間を必要とすること無しに、フック状の結合装置に対する対応部材が簡単に形成され得る。
【０００９】
第１の結合装置が有利には当接面を備えており、この当接面に別の工具カセットの表面が当接すると共に当接面に支持されていると、第１の工具カセットと別の工具カセットとは、容易に不本意には外れることがない、安定した結合部を有することになる。
【００１０】
有利には工具カセットに取っ手が設けられていると、第１の工具カセットと別の工具カセットもしくは別の複数の工具カセットとを人間工学的に運ぶことができる。
【００１１】
工具カセットにプラスチックから成るカセット基体が設けられていると、有利には第１の結合装置と第２の結合装置の両方を基体に簡単に組み込むことができ、さらにプラスチックの使用は、小さな重量を有するカセット基体を提供する。
【００１２】
有利には、複数の工具カセットが第１の結合装置と第２の結合装置の両方を備えており、これにより、これらの工具カセットを任意に結合することができるようになっている。
【００１３】
工具ホルダを備えた前面側および反対の側に位置する背面側に対して、一方の結合装置を側面側に配置し、かつ他方の結合装置を背面側に配置することにより、保持された加工工具がぶつかり合うこと無しに、第１の工具カセットと別の工具カセットとがコンパクトに互いに結合され得る。
【００１４】
一方の結合装置が両側面側に配置されている場合には、単一の第１の工具カセットおよび単一の別の工具カセットよりも多くの工具カセットを互いに結合することが可能である。
【００１５】
複数の工具カセットから成る１つのセット、特に複数の同一の工具カセットから成る１つのセットを設けることにより、加工工具をフレキシブルに交換する構想を実現する可能性が生じる。それというのも、複数の異なる加工工具を機械に容易に運ぶこともできるようになっているからである。
【００１６】
本発明を、１つの実施例に基づき添付の図面を参照して説明する。
【図面の簡単な説明】
【００１７】
【図１】工具カセットを斜め前方から見た斜視図である。
【図２】工具カセットを斜め後方から見た斜視図である。
【図３】互いに結合された複数の工具カセットの断面図である。
【図４】互いに結合された３つの工具カセットを上から見た図である。
【００１８】
図１には工具カセット１を斜め前方から見た斜視図が示されており、図２には工具カセット１を斜め後方から見た斜視図が示されている。
【００１９】
工具カセット１は、加工工具（図示せず）を取り付けるために用いられる。工具カセット１は、カセット基体２を有している。カセット基体２は、プラスチック、例えば繊維強化ポリアミドから製造されている。択一的に、カセット基体は別の材料、特にアルミニウムまたはマグネシウム合金から製造されていてもよい。カセット基体は択一的に、部分的にのみプラスチックから製造されていてもよい、または部分的にのみアルミニウムまたはマグネシウム合金から製造されていてもよい。
【００２０】
カセット基体２の前面側には、板状のワークの加工に適した加工工具を取外し可能に保持するための工具ホルダが設けられている。工具ホルダは、加工工具の加工用ポンチとして形成された工具部分を取外し可能に保持するためのポンチホルダ３と、加工工具の加工用ダイとして形成された工具部分を取外し可能に保持するためのダイホルダ４とから成っている。さらに、前面側には加工工具の掻取機用の任意のホルダ５が設けられている。
【００２１】
前面側とは反対の側の、工具カセット１の背面側には、加工機械（図示せず）の工具マガジンに工具カセット１を取り付けるための取付け装置６（図２）が設けられている。
【００２２】
工具カセットはさらに、フック状に形成された第１の結合装置７を備えている。第１の結合装置７は、必ずしもフック状に形成されていなくてもよく、択一的には別の摩擦結合式または形状結合式の結合手段として形成されていてもよい。
【００２３】
本実施形態では、工具カセット１に第２の結合装置８（図２）も設けられている。第２の結合装置８は、第１の結合装置７に対して相補的に形成されており、本実施形態ではフック支持部として形成されている。第１の結合装置７と第２の結合装置８とは、形状結合式にかつ取外し可能に結合可能である。
【００２４】
本実施形態では、第１の結合装置７と第２の結合装置８とは両方共、工具カセット１に設けられている。択一的に、複数の工具カセット１のうちの１つが選択的に、第１の結合装置７だけ、または第２の結合装置８だけを有していてもよく、他方の結合装置は別の工具カセット１’に設けられている。
【００２５】
図３には、互いに結合された複数の工具カセット、つまり工具カセット１および別の工具カセット１’の断面図が示されている。
【００２６】
図２および図３に見られるように、第２の結合装置８は、工具カセット１の表面１０に開口９を有しており、開口９はアンダカット１１を有している。工具カセット１と別の工具カセット１’とを結合するために、アンダカット１１内にはフック状の第１の結合装置７が係合する。
【００２７】
第１の結合装置７はさらに、当接面１２を備えている。当接面１２は、掛け込まれた状態において第２の結合装置８が別の工具カセット１’の表面１０でもって当接面１２に当接すると共に、当接面１２に支持されるように形成されている。さらに、カセット基体２には別の当接面１４が、支持面１２に対して９０°の角度で配置されており、これにより、別の工具カセット１’が工具カセット１に掛け込まれた状態では、別の工具カセット１’は前記当接面１４により追加的に支持されるようになっている。このようにして、２つの工具カセット（１，１’）は互いに不動に結合されており、各工具カセット（１，１’）は、それぞれ他方の工具カセット（１，１’）に対して規定された位置を占めている。択一的に、異なる数の当接面１４が設けられていてもよい。
【００２８】
各図面に見られるように、工具カセット１は任意には取っ手１３を有している。取っ手１３は、工具カセット１および場合により工具カセット１と結合された別の工具カセット１’を運ぶために用いられる。
【００２９】
図４には、互いに結合された３つの工具カセット、つまり工具カセット１と別の複数の工具カセット１’を上から見た図が示されている。この図面でも、ポンチホルダ３およびダイホルダ４の形態の工具ホルダがそれぞれ配置されている工具カセット１，１’の側は前面側として規定されており、工具マガジンに工具カセット１，１’を取り付けるための取付け装置６がそれぞれ配置されている反対側は背面側として規定されている。前面側と背面側との間で水平方向に位置する面は、それぞれ側面側として規定されている。つまり図４に示すように、工具カセット１の両側の側面に、第１の結合装置７が配置されている。第１の結合装置７は、択一的に工具カセット１の側面の片方だけに配置されていてもよい。第２の結合装置８は、別の工具カセット１’の背面側に配置された状態で示されている。
【００３０】
工具カセット１と別の工具カセット１’とは、複数の工具カセット１，１’から成る１つのセットを形成している。ここに図示した工具カセット１，１’はそれぞれ、第１の結合装置７および第２の結合装置８の同一の配置を有している。択一的に、結合装置７，８の配置もしくは配列は異なっていてもよい。
【００３１】
本明細書、後続の請求項および図面に開示した特徴は全て、個別でも、互いに任意に組み合わされたものでも、本発明にとって重要であり得る。
【図１】
2020506063.tif 000003
【図２】
2020506063.tif 000004
【図３】
2020506063.tif 000005
【図４】
2020506063.tif 000006
【国際調査報告】
2020506063.tif 000007
2020506063.tif 000008
2020506063.tif 000009
2020506063.tif 000010